(57)【要約】【課題】  二重に空間を有する包装用袋であっても従来の工程数を変えないで製作でき、且つ盗難防止上の問題や製造コストが高いという課題を解決する。【解決手段】  この包装用袋は、片側に上部封口用フィルム９を形成したヘッダ部２と、一枚のフィルムに２箇所の折曲部４、５を設けて３重のフィルムとすると共に前記ヘッダ部２と区画シール６を介して形成した２つの収納室７、８と、前記３重のフィルムのうち後部フィルム３ｃに設けられた下部封口フィルム１０と、で形成される。そして、前記ヘッダ部片側の上部封口用フィルム９と、後部封口フィルム１０に接着剤層Ａ、Ｂが形成される。【選択図】図２
2005041521.tif 000002
【特許請求の範囲】
【請求項１】
片側に封口用フィルムを形成したヘッダ部と、フィルムに２箇所の折返部を設けて３重のフィルムとして形成した２つの収納室と、で形成され、前記３重のフィルムのうち１番目のフィルムが前記ヘッダ部と区画シールを介してつながれ、２番目ののフィルムが仕切フィルムとして形成され、３番目のフィルムの端部近傍に封口用フィルムを形成して成ることを特徴とする包装用袋。
【請求項２】
前記ヘッダ部片側の封口用フィルムと、前記３番目のフィルムの端部近傍に設けられた封口用フィルムに接着剤層を形成して成ることを特徴とする請求項１に記載の包装用袋。
【請求項３】
前記ヘッダ部片側と、前記３番目のフィルムの中央部近傍に接着剤層を形成して成ることを特徴とする請求項１又は請求項２に記載の包装用袋。
【発明の詳細な説明】
【技術分野】
【０００１】
本発明は、菓子類、文具類、おもちゃ、家庭日用品類等小物類の販売に際して用いられる包装用袋に関し、特に、商品と説明文（挿絵）を直接触れない状態で収容することができ、また、これらを入れ換えたり、盗難予防ともなる包装用袋に関する。
【背景技術】
【０００２】
菓子類、文具類或いは家庭日用品類等小物類の販売に際しては、透明なポリエチレン製の包装用袋に入れて店頭に並べる。そのような場合、通常は単なる袋に物を入れ、ヘッダー部に穴を開けて展示用のバーに通し並べるものが多い。従来の包装用袋に収容した商品は、店頭等にならべられると、特に人気商品のおまけが入っていると盗難に会うことも多く、対策に苦心しているのが実情である。中には、商品を入れる２つの収納室を形成した包装用袋も提案されている（特許文献１）。
【０００３】
即ち、この包装用袋は、芯材を入れて吊り下げ用穴を穿設したヘッダ部と、該ヘッダ部から下方に延設した裏フィルムと、仕切りフィルムと、該仕切フィルムを内側上方に折り曲げて一体に形成される表フィルムと、上部封口片と、で形成される。そして該包装用袋は、前記裏フィルムの下部を折り曲げて接着剤層で前記表フィルムの下部へ接着して仕切フィルムとで形成される収納室と、表フィルムと仕切フィルムとで形成される収納室と、の二つの収納室を形成するようにしてある。前記上部封口片は、上端部を仕切フィルム上端部に溶着してあるが、収納室に商品を収容した後、ヘッダ部にも接着することにより該収納室への入口を封緘する。また、収納室に商品を収容した後、下部封緘片で下の入口は閉じるが、開閉自在である。必要に応じて、表フィルムの上部に塗布した接着剤層で接着することにより、収納室を密封するが開閉自在である。この包装用袋は、例えば、収納室には未使用の商品を収容し、収納室には使用済の商品を収容し、全て使用済となったら使用済商品を回収して資源の有効利用をはかったり、環境汚染を防止することができるものである。
【０００４】
【特許文献１】特開２００１−２１３４４６
【０００５】
従来の包装用袋には、上記するように２箇所に収納室を設けているので、一方の収納室に商品を収容し、他方の収納室には使用済の商品を収容するようになっている。従って、商品の回収や廃棄物の散逸防止に役立つ。しかしながら、この包装用袋は、３枚のフィルムを必要とし、製造工程において上部封口片を組み込む工程があり、複雑で工程数も増加する。また、上部封口片は収納室に商品がある限り、下部の取り出し口は開閉自在となっており、この裏側の収納室に収容した商品を簡単に取り出すことができるので盗難に会いやすい。また、表側の収納室に収容した商品も上部封口片も接着を剥がせば収容した商品を簡単に取り出すことができる。その他の従来の包装用袋も、二重に商品を入れることができるものでも、商品が取り出し易く、盗難防止を意図したものではない。
【発明の開示】
【発明が解決しようとする課題】
【０００６】
本発明は、上記するように、二重に空間を有する包装用袋であっても従来の工程数を変えないで一枚のフィルムで製作でき、且つ盗難防止上の問題や製造コストを低減できる包装用袋を提供するという課題を解決しようとするものである。
【課題を解決するための手段】
【０００７】
請求項１に記載の発明は、包装用袋が、片側に封口用フィルムを形成したヘッダ部と、フィルムに２箇所の折返部を設けて３重のフィルムとして形成した２つの収納室と、で形成され、前記３重のフィルムのうち１番目のフィルムが前記ヘッダ部と区画シールを介してつながれ、２番目ののフィルムが仕切フィルムとして形成され、３番目のフィルムの端部近傍に封口用フィルムを形成して成ることを特徴とする。
【０００８】
また、請求項２に記載の発明は、前記ヘッダ部片側の封口用フィルムと、前記３番目のフィルムの端部近傍に設けられた封口用フィルムに接着剤層を形成して成ることを特徴とする。
【０００９】
また、請求項３に記載の発明は、前記ヘッダ部片側と、前記３番目のフィルムの中央部近傍に接着剤層を形成して成ることを特徴とする。
【発明の効果】
【００１０】
この発明の包装用袋によれば、二つの収納室に商品を収容することができるだけでなく、商品の取り出し口がわかりにくかったり、手を入れにくいため盗難防止を図ることができる。また、従来は一つの包装用袋に商品と説明文が一緒に収容されていたが、本発明によれば、説明文はそのままにして一方の商品のみを入れ換えたり、或いは商品はそのままにして説明文のみを入れ換えたりすることができる、更に、一枚のフィルムで製作できるのでコストも低減できる、等の優れた効果がある。
【発明を実施するための最良の形態】
【００１１】
以下、本発明を実施するための最良の形態について図面を参照しながら説明する。
【００１２】
図１は、本発明の包装用袋の正面図であり、図２は、図１のＡ−Ａ矢視断面図であって、後側フィルムの下部を折り曲げない状態を示している。この包装用袋１は、合成樹脂製フィルム（以下のフィルムも同様）で形成されるヘッダ部２と、２箇所の折返部４、５を設けて３重のフィルムとして形成した一枚のフィルム３と、で構成される（尚、フィルム３は、前記ヘッダ部２のフィルムとも元々は一枚でつながっている）。便宜上１番目のフィルム３ａを前側フィルム３ａとし、２番目のフィルム３ｂを仕切フィルム３ｂとし、３番目のフィルム３ｃを後側フィルム３ｃとする。尚、前側フィルム３ａはヘッダ部２の下部に区画シール６を介して該ヘッダ部２とつながれている。そして、前側フィルム３ａと仕切りフィルム３ｂとで前部収納室７が形成され、仕切フィルム３ｂと後側フィルム３ｃとで後部収納室８が形成される。（尚、収納室の「前部」及び「後部」は、便宜上使用するものであって、いずれを前部或いは後部としても良い）。また、前記ヘッダ部２の片側（後側）には、上部封口用フィルム９が形成され、前記後側フィルム３ｃの端部近傍に下部封口用フィルム１０が形成される。
【００１３】
前記ヘッダ部２は、合成樹脂製フィルムを二重に曲げて内部に芯材となる厚紙１１が挿入され展示用の棒材を貫通させるための穴２ａが穿設してある。但し、該ヘッダ部２は、必ずしも二重にする必要はなく、且つ芯材の厚紙１１を設ける必要もない。また、該ヘッダ部２の下部の区画シール６は、超音波加工や熱溶着加工等により溶着する。また、封口用フィルム９を形成するには、ヘッダ部２を二重として厚紙１１を置き、後部のフィルム部分を少し長めにして区画シール６を設けることによって形成する。該上部封口フィルム９端部内側に接着剤層Ａが設けられ、剥離シート１２が係止させてある。下部封口用フィルム１０は、前記後側フィルム３ｃの下部は折曲部４より少し長めにすることによって形成する。該下部封口用フィルム１０の端部に接着剤層Ｂが設けられ、剥離シート１３が係止させてある。
【００１４】
図３は、図２と同じ本発明の包装用袋１であって、特に他の商品に付着させるようにしたものである。この包装用袋１では、ヘッダ部２の後側と、後側フィルム３ｃの中間付近に接着剤層Ｃ、Ｄを設けて剥離シート１４、１５が付けてある。即ち、本発明の包装用袋は、中に商品を収容して店頭に吊り下げるだけでなく、他の商品、例えばパソコンソフトを入れた包装箱の側面にくっつけたり、包装用袋１を、ヘッダ部２の穴２ａに通して付けただけでは落下しやすいような場合に便利である。
【００１５】
図４は、本発明の包装用袋の製造方法の説明図である。この図４と図１乃至図３を参照しながら説明する。即ち、合成樹脂製フィルム、例えばポリエチレン樹脂製の１枚のフィルムの上部に長い長方形の厚紙１１を長手方向において二重に巻き、後側のフィルムの下部が少し余るように上部封口用フィルム９を設け、ヘッダ部２が区画形成されるよう該ヘッダ部２の下部を溶着して区画シール６を設ける。更に、前記ヘッダ部２の下部の区画シール６より下側は、前側フィルム３ａと、該前側フィルム３ａの下部に折返部４を設けてヘッダ部２方向へ折り曲げて形成される仕切りフィルム３ｂとで形成される前部収納室７と、前記仕切りフィルム３ｂと、該仕切りフィルム３ｃの上部に折返部５を形成して下方向へ折り曲げて形成される後側フィルム３ｃとで形成される後部収納室８と、を形成する。
【００１６】
次に、後側フィルム３ｃの下部端部に設けた下部封口用フィルム１０の端部内側と、前記ヘッダ部２を形成する際に設けた上部封口用フィルム９の端部の内側とに、接着剤層Ａ、Ｂを形成し、剥離シール１２、１３を被せる。必要に応じて、ヘッダ部２の後側とか、後側フィルム３ｃの中間付近に接着剤層Ｃ、Ｄを設けて剥離シート１４、１５を付けてある。そして、ヘッダ部２に吊り下げ用の穴２ａ、２ａ、・・・を穿設加工して、包装用袋１の用途等を考慮して、切断幅Ｌ，Ｌ，・・・を決めて両端縁部３ｄ、３ｅを溶断すると同時に溶着する。
【００１７】
図５は、以上のような構成によって製造された本発明の包装用袋１に商品や説明書を入れる方法を示した図である。この図に示すように、上部封口フィルム９と下部封口用フィルム１０とを大きく開け、前部収納室７には上部入口２２から商品を入れ、後部収納室８には下部入口２１から説明書（或いは商品）を入れ、上部封口用フィルム９の接着剤層Ａと、下部封口用フィルム１０の接着剤層Ｂでそれぞれの入口を封口する。
【００１８】
図６は、本発明の包装用袋袋に商品を入れて、店頭に並べた状態の図である。このように、本発明の包装用袋１は、多数を並べてヘッダ部２に設けた吊り下げ用の穴２ａを展示用バー２０に通して陳列する。そして前部収納室７には商品Ｍを入れ、後部収納室８には説明書Ｎを入れることができる。この場合、前部収納室７には商品Ｍの代わりに説明書を入れ、後部収納室８には説明書Ｎの代わりに商品を入れるようにしても良いし、二つの収納室７、８とも商品を入れても良い。また、ヘッダ部２の厚紙１１には商品の説明や宣伝文句を表示しても良い。
【００１９】
図７は、本発明の包装用袋１のヘッダ部２の変形例を示した図である。即ち、本発明の包装用袋１の収納室７におまけ商品Ｗを入れ、ヘッダ部２には、大きく周囲を丸く形成し、大きな貫通穴２ａが設けてある。そして、例えばカビ取り器２３の首の部分に貫通穴２ａを通し、後部フィルム３ｃの中間部に設けた接着層Ｄ（図３参照）を該カビ取り器２３の壁部に接着し固定してある。
【００２０】
図８は、本発明の包装用袋の盗難防止効果を説明するための図である。即ち、図８（Ａ）に示すように、包装用袋１の前部収納室７に商品Ｍが入っている場合、この商品を盗もうとして下部封口用フィルム１０を剥がし、中に指を入れても仕切フィルム３ｂの上部は折返部５があるため商品Ｍに達することはできない。また、後部フィルム３ｃの上部には封口用フィルム９があるため商品Ｍの入口２２はわかりにくい。更に、該上部封口用フィルム９は裏側にあるため剥がしにくい。次に、図８（Ｂ）に示すように、本発明の包装用袋１を、図７に示すようなカビ取り器２３の壁部に取り付けると、前部収納室７におまけ商品Ｍが入っている場合、図８（Ａ）と同様に下部の下部封口用フィルム１０を剥がし、中に指を入れても仕切フィルム３ｂの上部の折返部５のため取り出すことはできない。そして、後側フィルム３ｃの中間部の接着剤層Ｄとヘッダ部２の接着剤層Ｃのため、おまけ商品Ｍの入口２２がわかりにくい。また、裏側の後部フィルム３ｃの上部封口用フィルム９は中々剥がすことはできない。従って、この包装用袋からおまけ商品Ｍを取り出すことは一層困難となる。
【００２１】
図９は、本発明の包装用袋にＣＤ−ＲＯＭを入れてパソコンソフトの包装用箱２３にくっつけた状態の斜視図である。即ち、本発明の前部収納室７にはＣＤ−ＲＯＭ２４を収容し、後部収納室８には説明書や宣伝等を記載した説明書Ｎ等を入れる。或いは、前部収納室７にも後部収納室８にもＣＤ−ＲＯＭ２４を収容し、ヘッダ部２に説明文や宣伝文句等を記載しても良い。この場合も、下部封口用フィルム１０を剥がしてもＣＤ−ＲＯＭ２４を取り出すことはできない。
【産業上の利用可能性】
【００２２】
本発明は、菓子類や文房具類或いは家庭日用品等を販売するに際し、店頭での盗難や紛失を有効に防止することができるので、これらの商品の製造、販売する産業の分野に適用することができる。
【図面の簡単な説明】
【００２３】
【図１】本発明の包装用袋の正面図である。
【図２】図１のＡ−Ａ矢視断面図であって、下部封口用フィルムを折り曲げない状態を示す図である。
【図３】図２と同じ方向からみた本発明の包装用袋であって、後部フィルム中間とヘッダ部にも接着剤層を設けた図である。
【図４】本発明の包装用袋の製造方法の説明図である。
【図５】本発明の包装用袋１に商品や説明書を入れる方法を示した図である。
【図６】本発明の包装用袋袋に商品を入れて、店頭に並べた状態の図である。
【図７】本発明の包装用袋のヘッダ部の変形例を示した図である。
【図８】本発明の包装用袋の盗難防止効果を説明するための図であって、図８（Ａ）は、通常の状態で店頭に吊るした状態での効果の説明図であり、図８（Ｂ）は、カビ取り器のような商品におまけを包装用袋に入れて該カビ取り器の壁部にくっつけた状態での効果の説明図である。
【図９】本発明の包装用袋にＣＤ−ＲＯＭを入れてパソコンソフトの包装用箱にくっつけた状態の斜視図である。
【符号の説明】
【００２４】
１    包装用袋
２    ヘッダ部
３    フィルム
４    折返部
５    折返部
６    区画シール
７    前部収納室
８    後部収納室
９    上部封口用フィルム
１０  下部封口用フィルム
１１  厚紙
【図１】
2005041521.tif 000003
【図２】
2005041521.tif 000004
【図３】
2005041521.tif 000005
【図４】
2005041521.tif 000006
【図５】
2005041521.tif 000007
【図６】
2005041521.tif 000008
【図７】
2005041521.tif 000009
【図８】
2005041521.tif 000010
【図９】
2005041521.tif 000011